(57)【要約】      （修正有）【課題】閉扉時の衝撃力を小さくさせて閉扉時の大きな衝撃音を除去することができるのみならず、作動時に、係止も圧迫もなく、そのピストンロッドの伸縮を順調に行うことができる。【解決手段】第１の取付部材３と、第２の取付部材４と、第１のリンク５と、第２のリンク６と、捻じりばね５４と、ピストンロッド８２の先端部である一端部とシリンダー体８１の末端部である他端部８１１とを有し、この他端部８１１が第１の取付部材３に保持されているオイルシリンダー装置８と、伝動リンク手段７とからなる。オイルシリンダー装置のピストンロッド８２が、開扉時に伝動リンク手段７を介して第２のリンクの第１の取付部材３に枢接されている端部に押圧されると共に、閉扉時にはその端部に引っ張られる。【選択図】図１
0003103578.tif 000002
【実用新案登録請求の範囲】
【請求項１】
開口の一縁部に扉体を前記開口に対し開閉自在に連結するための自動閉扉式スライド蝶番であって、
前記一縁部に固定する第１の取付部材と、
前記扉体に固定する第２の取付部材と、
両端部がそれぞれ前記第１及び第２の取付部材に枢接されている第１のリンクと、
前記第１のリンクと一縁部との間に位置するように、両端部がそれぞれ前記第１及び第２の取付部材に枢接されている第２のリンクと、
開扉時に閉扉方向への回動力を付勢できるように前記第１のリンクの両端部と前記第２のリンクの両端部との４箇所の一つに配置されている捻じりばねと、
シリンダー体とピストンロッドとからなり、前記ピストンロッドの先端部である一端部と前記シリンダー体の末端部である他端部とを有し、且つ、その他端部が前記第１の取付部材に保持されているオイルシリンダー装置と、
一端が前記ピストンロッドの先端部である一端部に枢接され、他端が前記第２のリンクの前記第１の取付部材に枢接されている端部に枢接されている伝動リンク手段とからなっており、
前記オイルシリンダー装置のピストンロッドが、開扉時に前記伝動リンク手段を介して前記第２のリンクの前記第１の取付部材に枢接されている端部に押圧されると共に、閉扉時にはその端部に引っ張られるようになっていることを特徴とする自動閉扉式スライド蝶番。
【請求項２】
前記第１のリンクは、両端部がそれぞれ枢接ピンによって前記第１及び第２の取付部材に枢接されており、前記第２のリンクは、前記第１のリンクと前記一縁部との間に位置するように、両端部がそれぞれ枢接ピンによって前記第１及び第２の取付部材に枢接されていることを特徴とする請求項１に記載の自動閉扉式スライド蝶番。
【請求項３】
前記伝動リンク手段は、前記第１の取付部材に枢支されていて一端と他端とを有する第１の伝動リンクと、一端と他端とを有する第２の伝動リンクとからなり、且つ、前記第１の伝動リンクの一端が前記伝動リンク手段全体の前記一端とし、他端が前記第２の伝動リンクの一端と枢接し合い、前記第２の伝動リンクの他端が前記伝動リンク手段全体の前記他端となることを特徴とする請求項１又は２に記載の自動閉扉式スライド蝶番。
【考案の詳細な説明】
【技術分野】
【０００１】
本考案は、自動閉扉式スライド蝶番に関し、特に戸棚、ドア、窓などの家具、建築物に用いられるもので、前記家具、建築物の例えば上下２の横縁部と左右２の縦縁部とから形成してなる開口の一縁部に扉体を前記開口に対し開閉自在に連結するための自動閉扉式スライド蝶番に関する。
【背景技術】
【０００２】
従来の自動閉扉式スライド蝶番は、例えば、特開平７−１１９３４７号公報に記載の考案のように、前記開口の一縁部に固定する第１の取付部材と、前記扉体に固定する第２の取付部材との間に、４本の支持軸で２本のリンクを回動自在に連接し、且つ、閉扉方向への回動力を付勢するための付勢手段として前記４本の支持軸中の適当な一つに捻じりばねを取付けてなるものがある。この自動閉扉式スライド蝶番は、開扉時において、前記付勢手段によって閉扉力を蓄積することができるが、前記閉扉力は扉の開扉位置から離脱した瞬間に釈放されるので、閉扉の速度がかなり速く、閉扉位置に到達する時の衝撃力が大きく、ぱたんと大きな衝撃音を立てたり、出入りする人の手や指を傷付けたりする可能性が大きいという欠点がある。
【０００３】
実用新案登録第３０９０４０８号に開示されている考案は、上記従来技術の欠点に対する改良がなされている。この考案は、開口の一縁部に扉体を前記開口に対し開閉自在に連結するためのものであって、前記一縁部に固定する第１の取付部材と、前記扉体に固定する第２の取付部材と、両端部がそれぞれ前記第１及び第２の取付部材に枢接されている第１のリンクと、前記第１のリンクと前記一縁部との間に位置するように、両端部がそれぞれ前記第１及び第２の取付部材に枢接されている第２のリンクと、一端部が前記第２のリンクの前記第１の取付部材に枢接されている端部に枢接され、他端部が前記第１の取付部材に保持されている付勢手段付き緩衝装置とからなる自動閉扉式スライド蝶番である。
【０００４】
このような構成の自動閉扉式スライド蝶番は、開扉時において、前記付勢手段付き緩衝装置で閉扉力を蓄積し、閉扉時において、前記付勢手段付き緩衝装置で前記閉扉力の釈放を緩和することができることを特徴としている。この考案の明細書及び図面を参照すると、前記付勢手段付き緩衝装置は、捻じりばねではなく、ビストンによって区切られた２室の一室をエアスプリングとし、その付勢手段としており、また、その他端部の前記第１の取付部材への保持は、枢支ではなく、調整によって左右だけに移動することができる構成になっている。
【０００５】
しかしながら、このような構成の自動閉扉式スライド蝶番の緩衝装置は、付勢手段としてエアスプリングを備えていたとしても、エアがもともと不圧縮性なものであるため、付勢力を蓄積する性質がよくない。また、前記緩衝装置は、その他端部が、揺動のできる枢支ではなく、調整によって左右だけに移動することができる構成になっており、また、その一端部が前記第２のリンクの前記第１の取付部材に枢接されている端部に枢接されているため、それによって前記第２のリンクを押圧して揺動しようとする際、該一端部がアーク状で移動しなければならないので、結局、第２のリンクに係止されて作動できず、又は、前記第２のリンクに圧迫されてそのピストンロッドが曲がりながら作動するため、故障を起こす虞れが極めて大である。
【考案の開示】
【考案が解決しようとする課題】
【０００６】
上記従来技術の問題点に鑑みて、本考案は、閉扉時の衝撃力を小さくさせて閉扉時の大きな衝撃音を除去することができるのみならず、作動時に、係止も圧迫もなく、そのピストンロッドの伸縮を順調に行うことができる自動閉扉式スライド蝶番を提供することを目的とする。
【課題を解決するための手段】
【０００７】
上記目的を達成するために、本考案に係る自動閉扉式スライド蝶番の特徴構成は、開口の一縁部に扉体を前記開口に対し開閉自在に連結するための自動閉扉式スライド蝶番であって、前記一縁部に固定する第１の取付部材と、前記扉体に固定する第２の取付部材と、両端部がそれぞれ前記第１及び第２の取付部材に枢接されている第１のリンクと、前記第１のリンクと一縁部との間に位置するように、両端部がそれぞれ前記第１及び第２の取付部材に枢接されている第２のリンクと、開扉時に閉扉方向への回動力を付勢できるように前記第１のリンクの両端部と前記第２のリンクの両端部との４箇所の一つに配置されている捻じりばねと、シリンダー体とピストンロッドとからなり、前記ピストンロッドの先端部である一端部と前記シリンダー体の末端部である他端部とを有し、且つ、その他端部が前記第１の取付部材に保持されているオイルシリンダー装置と、一端が前記ピストンロッドの先端部である一端部に枢接され、他端が前記第２のリンクの前記第１の取付部材に枢接されている端部に枢接されている伝動リンク手段とからなっており、前記オイルシリンダー装置のピストンロッドが、開扉時に前記伝動リンク手段を介して前記第２のリンクの前記第１の取付部材に枢接されている端部に押圧されると共に、閉扉時にはその端部に引っ張られるようになっていることにある。
【０００８】
また、前記第１のリンクは、両端部がそれぞれ枢接ピンによって前記第１及び第２の取付部材に枢接されており、前記第２のリンクは、前記第１のリンクと前記一縁部との間に位置するように、両端部がそれぞれ枢接ピンによって前記第１及び第２の取付部材に枢接されていることが好ましい。
【０００９】
また、前記伝動リンク手段は、前記第１の取付部材に枢支されていて一端と他端とを有する第１の伝動リンクと、一端と他端とを有する第２の伝動リンクとからなり、且つ、前記第１の伝動リンクの一端が前記伝動リンク手段全体の前記一端とし、他端が前記第２の伝動リンクの一端と枢接し合い、前記第２の伝動リンクの他端が前記伝動リンク手段全体の前記他端となることが好ましい。
【考案の効果】
【００１０】
このような構成の自動閉扉式スライド蝶番は、開扉時において、前記捻じりばねの弾性復帰力に抗してしなければならないため、閉扉力を蓄積することができ、閉扉時において、前記オイルシリンダー装置のピストンロッドを引っ張らなければならないため、前記捻じりばねから開放した閉扉力を緩和することができるので、閉扉時の衝撃力を小さくさせて閉扉時の衝撃音を除去することができる。また、ピストンロッドの先端部と第２のリンクの第１の取付部材に枢接されている端部との間には、前記のような伝動リンク手段が取り付けてあるので、作動時に、係止も圧迫もなく、そのピストンロッドの伸縮を順調に行うことができる。
【考案を実施するための最良の形態】
【００１１】
以下、本考案の自動閉扉式スライド蝶番の好ましい実施形態を詳しく説明する。なお、以下の説明においては、そのサイズに拘わらず、略同一の機能および構成を有する構成要素については、同一符号を付し、重複説明は必要な場合にのみ行う。
【００１２】
＜第１実施形態＞
図１は、本考案の第１実施形態に係る自動閉扉式スライド蝶番を示す分解斜視図である。図２は、その自動閉扉式スライド蝶番の開扉時における状態を示す断面図である。図３は、自動閉扉式スライド蝶番の閉扉途中における状態を示す断面図である。
【００１３】
図１、２に示すように、この自動閉扉式スライド蝶番は、家具、建築物などの例えば上下２つの横縁部と左右２つの縦縁部とから形成されている開口の一縁部１２に固定する第１の取付部材３と、扉体１１に固定する第２の取付部材４とを備えている。より詳しく説明すると、第１の取付部材３は、固定板３１と、断面コ字形をした外枠体３２と、この外枠体３２内に重なるように螺着固定されている断面コ字形の内枠体３３と、この内枠体３３と前記固定板３１とを連結する係止部材３４とからなっている。断面コ字形の内枠体３３は、所定隙間を空けた上下に平行な２つの側壁３３１，３３１を有し、これら側壁３３１，３３１それぞれの前記第２の取付部材４に近い一端が係止鉤３３２，３３２となっていて、前記固定板３１の対応一端の端縁３１１に係止することができる。固定板３１には、前記一端と相対する他端に係止孔３１２が設けられている。係止体３４は、スプリングなどの弾性付勢部材３４２が設けられており、且つ、係止孔３１２に係止するための係止鉤３４１が形成されている。内枠体３３の係止鉤３３２，３３２を前記固定板３１の対応一端の端縁３１１に、前記係止体３４を前記固定板３１と前記内枠体３３とのそれぞれの他端に係止することにより、前記固定板３１と内枠体３３を脱着可能に連結固定することができる。
【００１４】
断面コ字形の外枠体３２は、図示するように、所定隙間を空けた上下に平行な２つの側壁３２１，３２１と、これら側壁３２１，３２１の長尺方向に沿って前記２つの側壁３２１，３２１を連接した周壁３２０とからなっている。２つの側壁３２１，３２１は、それぞれ前記第２の取付部材４に近い一端に、それぞれ上下相対の枢接孔３２２，３２２，３２３，３２３を形成してあり、且つ、該側壁３２１の前記枢設孔３２２，３２３と所定距離を空けたところに、更に２つの固定孔３２４，３２４が形成してある。
【００１５】
また、第２の取付部材４は、所定隙間を空けた上下に平行な２つの側壁４１，４１と、これら２つの側壁４１，４１を連接した周壁４２とを有する。２つの側壁４１，４１には、それぞれ２つの上下に相対する枢接孔４１１，４１１，４１２，４１２が形成してある。
【００１６】
そして、第１の取付部材３と第２の取付部材４との間には、略片状をした第１のリンク５と第２のリンク６を備えている。第１のリンク５は、所定隙間を空けた上下平行の２つの突縁５１，５１を有し、且つ、それらの両端部がそれぞれ枢接ピン５２，５３によって前記第１の取付部材３の前記外枠体３２の前記枢接孔３２３，３２３及び第２の取付部材４の前記側壁４１，４１の前記枢接孔４１２，４１２に枢接されている。
【００１７】
第２のリンク６は、図１に示すように、カーブ状の片体６１と、この片体６１の両端部それぞれ形成されている軸支部６２，６２と、前記片体６１から後方へ上下平行に延伸してなる２枚の孔付き突板６３，６３とからなっている。第２のリンク６は、前記第１のリンク５と一縁部１２との間に位置することができるように、前記カーブ状の片体６１の両端部の軸支部６２，６２がそれぞれ枢接ピン５６，５７によって前記外枠体３２の前記枢接孔３２２，３２２及び前記側壁４１，４１の前記枢接孔４１１，４１１に枢接されている。本実施形態では、前記枢接ピン５３と前記枢接ピン５７とは、合わせてＵ字形になるように一体に成型されている。
【００１８】
また、前記第１のリンク５の外枠体３２に枢接されている端部に捻じりばね５４が配置されており、この捻じりばね５４の両端がそれぞれ前記第１のリンク５と第２のリンク６の片体６１に保持されている。これにより、開扉時に捻じりばね５４が引張られて閉扉方向への回動力を生じさせることができる。
【００１９】
第１の取付部材３の内枠体３３内には、オイルシリンダー装置８が収容されている。より詳しく説明すると、このオイルシリンダー装置８は、シリンダー体８１とピストンロッド８２とからなっている。オイルシリンダー装置８は、外見上、そのピストンロッド８２の先端部からなる一端部８２１とシリンダー体８１の末端部からなる他端部８１１とを有し、且つ、この他端部８１１が２つの固定ピン６０，６０によって前記外枠体３２の２つの固定孔３２４，３２４から内枠体３３を経て、それを貫通するようにして前記第１の取付部材３に保持されている。
【００２０】
そして、オイルシリンダー装置８の一端部８２１は、伝動リンク手段７によって前記第２のリンク６に枢接されている。伝動リンク手段７は、孔付き実体部７１１と、この実体部７１１から上下平行に延伸してなる２枚の孔付き突片７１２，７１２とからなる伝動リンク７１と枢接ピン７２，７３とから構成されている。オイルシリンダー装置８の一端部８２１は、枢接ピン７３によって２つの孔付き突片７１２，７１２の間に枢接され、且つ、前記実体部７１１が前記枢接ピン７２によって前記第２のリンク６の２つの孔付き突板６３，６３の間に枢接される。
【００２１】
すなわち、伝動リンク７１は一端と他端とを有し、その一端が前記ピストンロッド８２の先端部に枢支され、他端が前記第２のリンク６の前記第１の取付部材３に枢接されている端部に枢接されていて空間に位置する。それにより、前記オイルシリンダー装置８のピストンロッド８２は、開扉時に前記伝動リンク手段７を介して、前記第２のリンク６の前記第１の取付部材３に枢接されている端部に押圧され、且つ、閉扉時にそれに引っ張られるようになる。
【００２２】
上記した構成の自動閉扉式スライド蝶番では、開扉時において、図２のように、前記捻じりばね５４が引張られて閉扉力が生じ、且つ、前記第２の取付部材４の周壁４２が開扉の力により前記第２のリンク６に接触し、この第２のリンク６の孔付き突板６３，６３に前記伝動リンク手段７を介して押動されて、前記オイルシリンダー装置８のピストンロッド８２が図中の左方へ移動する。また、閉扉時において、図３のように、前記捻じりばね５４による閉扉力により前記扉体１１が閉扉位置へ跳ね返ると同時に、前記第１のリンク５と第２のリンク６とがそれぞれ枢接ピン５２，５６を軸心として回動し、前記ピストンロッド８２が前記伝動リンク手段７を経由して、右方へ引張られるが（図中の矢印を参照）、前記シリンダー体８１内の油圧による緩衝作用で閉扉方向の付勢力が緩和され、前記扉体１１が開口縁に当接するまでに僅かに残る閉扉力によって、前記開口縁（即ち閉扉位置）に保持される。そして、前記伝動リンク手段７の設置により、作動時に、係止も圧迫もなく、前記ピストンロッド８２の伸縮を円滑・順調に行うことができる。
【００２３】
＜第２実施形態＞
図４は、本考案の第２実施形態に係る自動閉扉式スライド蝶番の分解斜視図であり、図５は、図４の自動閉扉式スライド蝶番の開扉時における状態を示す断面図である。この実施形態の自動閉扉式スライド蝶番は、第１実施形態に示したと同様に、第１の取付部材３と、第２の取付部材４と、第１のリンク５と、第２のリンク６と、伝動リンク手段７と、オイルシリンダー装置８とを備えているが、前記第１の取付部材３の外枠体３２の前記第２の取付部材４に近い一端が、外方に向けて斜め方向に延出しており、且つ、その２つの側壁３２１，３２１それぞれの斜めに延出している一端に、それぞれ３対の上下に相対する枢接孔３２２，３２２，３２３，３２３，３２５，３２５が形成されている。また、前記伝動リンク手段７は、前記伝動リンク７１（以下第２の伝動リンクと称す）の他に、また第１の伝動リンク７４を備えている。この第１の伝動リンク７４は、略三角形をして３端を有している。第１端は、枢接ピン７６によって前記外枠体３２の側壁３２１，３２１それぞれの枢接孔３２５，３２５に枢接されており、第２端は、前記伝動リンク手段７全体の前記一端として枢接ピン７３によってピストンロッド８２の先端部８２１と枢接されており、第３端は、枢接ピン７５によって前記第１の伝動リンク７１の孔付き突片７１２，７１２に枢接されている。また、前記第２の伝動リンク７１は一端と他端を有し、その他端は、上記第１実施形態と同様に、前記伝動リンク手段７全体の前記他端として前記第２のリンク６の孔付き突板６３に枢接されており、その一端は前記第１の伝動リンク７４の第３端と枢接されている。このように、前記ピストンロッド８２の先端部と前記第２の伝動リンク７１の突片７１２，７１２との間に、前記第１の伝動リンク７４が増設されているため、上記第１実施形態に比べて前記ピストンロッド８２の伸縮順調性が向上する。
【００２４】
以上より、本実施形態の自動閉扉式スライド蝶番は、オイルシリンダー装置が設けられているため、閉扉時においてオイルシリンダー装置の緩衝作用で前記捻じりばねの開扉時に蓄積する弾性復帰力に抗して、前記捻じりばねから釈放した閉扉力を緩和することができ、閉扉時の衝撃力を小さくさせて閉扉時の衝撃音を除去することができる。更に、ピストンロッドの先端部と第２のリンクの第１の取付部材に枢接されている端部との間には、上記したような伝動リンク手段が取り付けられているので、作動時に、係止も圧迫もなく、そのピストンロッドの伸縮を円滑・順調に行うことができる。
【００２５】
以上説明した実施の形態は、あくまでも本考案の技術的内容を明らかにする意図のものにおいてなされたものであり、本考案は上記具体例に限定して狭義に解釈されるものではなく、本考案の精神とクレームに述べられた範囲で、種々に変更して実施できるものである。
【図面の簡単な説明】
【００２６】
【図１】本考案の第１実施形態に係る自動閉扉式スライド蝶番を示す分解斜視図
【図２】図１の自動閉扉式スライド蝶番の開扉時における状態を示す断面図
【図３】図１の自動閉扉式スライド蝶番の閉扉時における状態を示す断面図
【図４】本考案の第２実施形態に係る自動閉扉式スライド蝶番を示す分解斜視図
【図５】図４の自動閉扉式スライド蝶番の開扉時における状態を示す断面図
【符号の説明】
【００２７】
１１    扉体
１２    開口の一縁部
３      第１の取付部材
３１    固定板
３１１  一端の端縁
３１２  係止孔
３２    外枠体
３２０  周壁
３２１  側壁
３２２  枢接孔
３２３  枢接孔
３２４  固定孔
３３    内枠体
３３１  側壁
３３２  係止鉤
３４    係止部材
３４１  係止鉤
３４２  弾性付勢部材
４      第２の取付部材
４１    側壁
４２    周壁
４１１  枢接孔
４１２  枢接孔
５      第１のリンク
５１    突縁
５２    枢接ピン
５３    枢接ピン
５４    捻じりばね
５６    枢接ピン
５７    枢接ピン
６      第２のリンク
６１    片体
６２    軸支部
６３    孔付き突板
７      伝動リンク手段
７１    伝動リンク（または第２の伝動リンク）
７１１  孔付き実体部
７１２  孔付き突片
７２    枢接ピン
７３    枢接ピン
７４    第１の伝動リンク
７５    枢接ピン
７６    枢接ピン
８      オイルシリンダー装置
８１    シリンダー体
８１１  オイルシリンダー装置の他端部
８２    ピストンロッド
８２１  オイルシリンダー装置の一端部
【図１】
0003103578.tif 000003
【図２】
0003103578.tif 000004
【図３】
0003103578.tif 000005
【図４】
0003103578.tif 000006
【図５】
0003103578.tif 000007